(57)【要約】【課題】反射鏡の角度調整後の固定時における軸部材の回転を防止し、反射鏡の角度調整を容易かつ正確に行う。【解決手段】光源２３０から取得された測定光を被測定物であるプリズム２８０に照射して得られた被測定物からの反射光と、光源２３０から取得され、記測定光の方向を変更する反射鏡２４１を備え測定物までの距離を測定する。反射鏡２４１は保持部材３２０の保持穴部３４０に保持された軸部材２４３に配置され、保持穴部３４０は、軸部材２４３に接触する第１接触面と、第１接触面との間で前記軸部材を挟む第２接触面と、軸部材と離間して配置される離間面とを備え、スリット部４９２を調整ボルト３６０で変形することにより軸部材２４３を回動可能状態又は固定状態に保持される。【選択図】図５
2017067672.tif 000002
【特許請求の範囲】
【請求項１】
光源からの測定光を被測定物に照射して得られた被測定物からの反射光と、
前記光源から取得された内部参照光と、に基づいて被測定物までの距離を測定する光波距離計において、
前記測定光、反射光、及び前記内部参照光の少なくとも一つの光の方向を変更する少なくとも一つの反射鏡を備え、
前記反射鏡は円柱状の軸部材に配置され、
前記軸部材は、前記光波距離計の本体に配置された保持部材に形成された軸受保持部に配置され、
前記軸受保持部は、前記保持部材に開設されかつ前記軸部材が挿入される保持穴部と、前記保持部材に形成され前記保持穴部に連通するとともに変形されることで前記保持穴部の形状を変更する調整スリット部とを備え、
更に前記保持穴部は、前記軸部材の中心より下側の外周面の少なくとも一部を含む面に接触する第１接触面と、前記第１接触面以外に配置され前記第１接触面との間で前記軸部材を挟む第２接触面と、少なくとも前記調整スリット部に隣接しかつ前記軸部材と離間して配置される離間面と、を備えることを特徴とする光波距離計。
【請求項２】
前記反射鏡は、前記測定光を反射することを特徴とする請求項１に記載の光波距離計。
【請求項３】
前記保持部材に配置され、前記調整スリット部を変形させる調整部材を備えることを特徴とする請求項１又は請求項２に記載の光波距離計。
【請求項４】
前記保持穴部のうち少なくとも前記軸部材の中心より上側部分を構成する内周面の半径は、前記軸部材の外周面の半径より大きく形成されていることを特徴とする請求項１から請求項３までのいずれか一項に記載の光波距離計。
【請求項５】
前記保持穴部のうち前記軸部材の中心より下側部分を構成する内周面の半径は、前記軸部材の外周面の半径より大きく形成されていることを特徴とする請求項４に記載の光波距離計。
【発明の詳細な説明】
【技術分野】
【０００１】
本発明は、測定物で反射された測定光を受光する受光光学系と、測定物に測定光を照射する射出光学系とを備え、測定物までの距離を測定する光波距離計に関する。
【背景技術】
【０００２】
上述の光波距離計は、変調した所定波長領域の測定光を被測定物に照射し、被測定物からの反射光を受光して、内部参照光と受光された測定光との位相差から測定物までの距離を測定する。
【０００３】
図６は従来の光波距離計の構成を示す断面図である。この光波距離計４００は、対物レンズ４１０と、２つの反射面を備えるプリズム４２０と、光源４３０と、射出光学系４４０と、反射鏡４５０と、ダイクロイックミラー４６０と、視準光学系４７０と、受光素子４８０とを備える。
【０００４】
対物レンズ４１０は、光軸Ｏａに配置した３枚のレンズで構成される。プリズム４２０は、対物レンズ４１０の後方の光軸Ｏａ上に配置され、光軸Ｏａに対して４５度の角度をなす平行２つの反射面、すなわち測定光を射出する方向に反射する射出用反射面４２１と、入射した測定光を受光素子４８０に向け反射する受光用反射面４２２とを備える。
【０００５】
光源４３０は所定波長領域の光を発生する。射出光学系４４０は、光軸Ｏａと平行な光軸Ｏｂに配置され、光源４３０からの光を平行光にするコリメータ４４１と、測定光を断続的に遮断する光チョッパ４４２とを備える。反射鏡４５０は、光軸Ｏｂに４５度の角度で配置され射出光学系４４０からの測定光の方向を９０度変更して、プリズム４２０の射出用反射面４２１に向け、光軸Ｏｃに沿って測定光を反射する。この射出用反射面４２１で反射された測定光は、対物レンズ４１０を経て測定物に射出される。
【０００６】
測定物からの反射光は、対物レンズ４１０を経てダイクロイックミラー４６０に至る。ダイクロイックミラー４６０は、入射した光から、所定波長帯域の測定光を反射し、他の光を透過させ視準光学系４７０に射出する。ダイクロイックミラー４６０で反射された測定光は、プリズム４２０の受光用反射面４２２で反射され、受光素子４８０に入射する。
【０００７】
このような光波距離計４００の射出光学系４４０における反射鏡４５０は、製造時に角度調整される。このため、反射鏡４５０は、角度可変、かつ所定の角度に固定可能に構成される。図７は従来の光波距離計における反射鏡の取り付け状態を示す正面図である。反射鏡４５０は、光波距離計４００本体に配置された支持部材４９０に、軸部材５００を介して配置される。軸部材５００は円柱部材である。また、支持部材４９０は、ブロック状の部材であり、軸部材５００がはめ込まれる断面円形の穴部４９１と、この穴部４９１に連通するスリット部４９２とが形成される。スリット部４９２の間隔寸法を変更することで、穴部４９１が変形して穴部４９１内に配置された軸部材５００を回動可能としたり、軸部材５００を固定したりできる。
【０００８】
支持部材４９０には、スリット部４９２の隙間寸法を変更する調整ボルト４９３が配置される。調整ボルト４９３は、スリット部４９２を挟む支持部材４９０の上側部材４９０ａに開設された挿入孔４９４に挿入され、下側部材４９０ｂに形成されたねじ穴４９５にねじ込まれる。調整ボルト４９３の締め付け状態を変更することにより、軸部材５００を挿入した穴部４９１の寸法を調整し、反射鏡４５０が取付けられた軸部材５００の取り付け角度を調整し、適正角度に配置された軸部材５００を回転しないように固定することができる。これにより、反射鏡４５０の組立て時に反射鏡４５０を適正角度に調整し、この角度を保つように固定する。
【先行技術文献】
【特許文献】
【０００９】
【特許文献１】特開２０１４−１４９１７１号公報
【発明の概要】
【発明が解決しようとする課題】
【００１０】
しかし、従来の光波距離計４００において、反射鏡４５０の角度設定は細心の注意を払う必要があり、手間と時間がかかるという問題がある。これは、軸部材５００を固定するに際しては、直径が縮められる穴部４９１の内面、特に穴部４９１の上側に位置するスリット部４９２側の内面４９１aが軸部材５００の表面に接触してしまい、適正に角度調整された反射鏡４５０の角度が変更されてしまうからである。
【００１１】
本発明は上述した課題に鑑みたものであり、反射鏡の角度調整後の固定時における軸部材の回転を防止し、反射鏡の角度調整を容易かつ正確に行うことができる光波距離計を提供することを目的とする。
【課題を解決するための手段】
【００１２】
前記課題を解決するため、請求項１に記載の発明は、光源からの測定光を被測定物に照射して得られた被測定物からの反射光と、前記光源から取得された内部参照光と、に基づいて被測定物までの距離を測定する光波距離計において、前記測定光、反射光、及び前記内部参照光の少なくとも一つの光の方向を変更する少なくとも一つの反射鏡を備え、前記反射鏡は円柱状の軸部材に配置され、前記軸部材は、前記光波距離計の本体に配置された保持部材に形成された軸受保持部に配置され、前記軸受保持部は、前記保持部材に開設されかつ前記軸部材が挿入される保持穴部と、前記保持部材に形成され前記保持穴部に連通するとともに変形されることで前記保持穴部の形状を変更する調整スリット部とを備え、更に前記保持穴部は、前記軸部材の中心より下側の外周面の少なくとも一部を含む面に接触する第１接触面と、前記第１接触面以外に配置され前記第１接触面との間で前記軸部材を挟む第２接触面と、前記内周面のうち少なくとも前記調整スリット部に隣接しかつ前記軸部材と離間して配置される離間面と、を備えることを特徴とする光波距離計である。
【００１３】
同じく請求項２に記載の発明は、請求項１に記載の光波距離計において、前記反射鏡は、前記測定光を反射することを特徴とする。
【００１４】
同じく請求項３に記載の発明は、請求項１又は請求項２に記載の光波距離計において、前記保持部材に配置され、前記調整スリット部を変形させる調整部材を備えることを特徴とする。
【００１５】
同じく請求項４に記載の発明は、請求項１から請求項３までのいずれか一項に記載の光波距離計において、前記保持穴部のうち少なくとも前記軸部材の中心より上側部分を構成する内周面の半径は、前記軸部材の外周面の半径より大きく形成されていることを特徴とする。
【００１６】
同じく請求項５に記載の発明は、請求項４に記載の光波距離計において、前記保持穴部のうち前記軸部材の中心より下側部分を構成する内周面の半径は、前記軸部材の外周面の半径より大きく形成されていることを特徴とする。
【発明の効果】
【００１７】
本発明に係る光波距離計によれば、反射鏡の角度調整後の固定時において、保持穴部の下側接触面と挟持接触面とが軸受部材の外周面に接触して軸受部材を確実に固定できる一方、固定時に離間面が軸受部材に接触せず軸部材の無用の回転が防止でき、反射鏡を容易かつ正確に固定する行うことができる。
【図面の簡単な説明】
【００１８】
【図１】本発明の第１実施形態に係る光波距離計を示す正面図である。
【図２】同光波距離計を示す断面図である。
【図３】同光波距離計の光学系を示すものであり、（ａ）は測定光射出の状態を示す模式図、（ｂ）は内部参照光射出の状態を示す模式図である。
【図４】同光波距離計の反射鏡の取付け状態を示す正面図である。
【図５】本発明の他の実施形態に係る光波距離計を示すものであり、（ａ）は本発明の第２実施形態に係る光波距離系における反射鏡の取付け状態を示す正面図、（ｂ）は本発明の第３実施形態に係る同反射鏡の取付け状態を示す正面図、（ｃ）は本発明の第４実施形態に係る同反射鏡の取付け状態を示す正面図である。
【図６】従来の光波距離計の構成を示す断面図である。
【図７】従来の光波距離計における反射鏡の取り付け状態を示す正面図である。
【発明を実施するための形態】
【００１９】
本発明を実施するための形態に係る光波距離計について説明する。
【００２０】
＜第１実施形態＞
図１は本発明の第１実施形態に係る光波距離計を示す正面図である。第１実施形態に係る光波距離計１００は、図１に示すように、三脚（図示せず）に取り付けられる基台部１０１に架台１０２が設けられ、この架台１０２には光学系を含む望遠鏡部１０３が支持されている。前記基台部１０１は整準ねじ１０４を有し、架台１０２が水平となる様に整準可能となっている。架台１０２は鉛直軸心を中心に回転可能であり、望遠鏡部１０３は水平軸心を中心に回転可能となっている。また、架台１０２には表示部１０６を有する操作入力部１０７が設けられ、前記表示部１０６には測定対象物までの距離の測定値等が表示される。
【００２１】
次に光波距離計１００の光学系について説明する。図２は同光波距離計を示す断面図、図３は同光波距離計の光学系を示すものであり、（ａ）は測定光射出の状態を示す模式図、（ｂ）は内部参照光射出の状態を示す模式図、である。
【００２２】
光波距離計１００は、筐体１１０内に、鏡筒１２０と、ベース部１３０が形成されている。また、図２に示すように、光波距離計１００は、光学系２００として、受光光学系である対物レンズ系２１０と、測定光を射出して測定物に照射する射出光学系２２０と、対物レンズ系２１０からの測定光を光ファイバ２６０に導く射出反射光学系２４０とを備える。また光学系２００は、受光反射光学系２５０と、視準光学系２７０とを備える。光ファイバ２６０は、光センサー２６１（図３参照）に測定光を導く。視準光学系２７０は対物レンズ系２１０からの被測定物像を目視できるようにして、光波距離計１００の方向を決定したり補正したりするために使用される。
【００２３】
対物レンズ系２１０は、鏡筒１２０に配置され、被測定物であるプリズム２８０に向かう第１光軸Ｏ１を備え、被測定物からの光を集光する。対物レンズ系２１０は、３枚のレンズを備えており、各種収差が補正され全体で正のパワーを備える。射出光学系２２０は、ベース部１３０に配置され、第１光軸Ｏ１と平行な第２光軸Ｏ２を備え、光源２３０からの光を平行光である測定光として射出する。光源２３０は、例えば赤外線を発生するレーザーダイオードである。射出光学系２２０は、コリメータレンズ２２１と、射出光を断続的に遮断し射出光を、光源から取得された内部参照光として取り出す台形プリズム２２５を備えたチョッパ２２６と、マイコンなどにより制御されて外光束光量を調整するサーキュラー２２２と手動で回転位置を設定することにより内部参照光の光量を調整する濃度フィルター３１０、と絞り２２４とを備える。濃度フィルター３１０は、円周上に濃度勾配を備えた円板状の部材である。また、サーキュラー２２２は、測定光出射光量の調整用に円周上に濃度勾配が付いている濃度フィルターを備え、サーキュラー駆動モータ２２３で回転駆動される円板状の部材である。
【００２４】
更に、チョッパ２２６はチョッパ駆動モータ２２７で回転駆動され、所定のタイミングで、第２光軸Ｏ２上のコリメータレンズ２２１の前側に出没するように駆動される。ここで、チョッパ２２６には、コリメータレンズ２２１を覆う板部２２６ａが形成されている。また、台形プリズム２２５は、図３（ｂ）に示すように２つの反射面２２５ａ、２２５ｂを備え、内部参照光を光センサー２６１に導く。
【００２５】
測定光の射出時には、図３（ａ）に示すように、チョッパ２２６は、コリメータレンズ２２１の射出口から外れ、光源２３０からの光は、サーキュラー２２２で断続的に遮られながら反射鏡２４１に向け、射出される。尚、図３（ａ）において、内部参照光の光軸を一点鎖線で示し、測定光の光路を矢印付の実線で示している。３（ａ）示した状態では、内部参照光は生成されてない。
【００２６】
内部参照光の射出時には、図３（ｂ）に示すように、チョッパ２２６はコリメータレンズ２２１の射出口に台形プリズム２２５の反射面２２５ａが配置される状態となる。この状態で、光源２３０からの光は、コリメータレンズ２２１を経て、台形プリズム２２５の反射面２２５ａ、２２５ｂで反射されて濃度フィルター３１０に向け射出される。濃度フィルター３１０で濃度調整された内部参照光は、光ファイバ２６３に入射する。このとき、コリメータレンズ２２１の開口は、板部２２６ａで完全に覆われるので、対物レンズ系２１０側には光は入射しない。光ファイバ２６３は、光ファイバ２６０と合流し、光ファイバ２６３からの内部参照光と、光ファイバ２６０からの測定光は同一の光センサー２６１で検出される。尚、図３（ｂ）において、内部参照光の光路を矢印付の実線で示し、測定光の光軸を一点鎖線で示している。３（ｂ）示した状態では、測定光は生成されてない。
【００２７】
射出反射光学系２４０は、第２光軸Ｏ２上に斜めに反射面を形成した反射鏡２４１と、対物レンズ系２１０の入射側（外側）に配置される第２反射手段である送光反射プリズム２４２とを備える。送光反射プリズム２４２は第１光軸Ｏ１上に傾斜した反射面２４２ａを備える。この例では対物レンズ系２１０の外側には、平行平面ガラスであるカバーガラス２８１が配置され、送光反射プリズム２４２は、このカバーガラス２８１の内側に接着されて配置されている。
【００２８】
受光反射光学系２５０は、ダイクロイックミラー２５１と、このダイクロイックミラー２５１からの光を直角方向に反射する受光反射部材である受光反射プリズム２５２とから構成される。ダイクロイックミラー２５１は、鏡筒１２０に配置され、対物レンズ系２１０から第１光軸Ｏ１に沿って入射する光のうち、所定波長帯域の光である測定光を反射する。他の帯域の光は透過して、鏡筒１２０に配置された視準光学系２７０に入射する。光波距離計１００のオペレーターは、視準光学系２７０を用いて、視準を行うことができる。受光反射プリズム２５２は、第１光軸Ｏ１に４５度の角度で形成された反射面２５２ａを有し、ダイクロイックミラー２５１からの光を光ファイバ２６０に向け反射する。
【００２９】
このような光波距離計１００では、光センサー２６１で検出した測定物であるプリズム２８０からの測定光と、光ファイバ２６３からの内部参照光とに基づいて被測定物であるプリズム２８０までの距離を演算する。
【００３０】
次に反射鏡２４１の取付け状態について説明する。図４は光波距離計の反射鏡の取付け状態を示す正面図である。反射鏡２４１は円柱状の軸部材２４３に配置されている。また、軸部材２４３は、光波距離計の本体であるベース部１３０に配置されたブロック状の保持部材３２０に形成された軸受保持部３３０に保持されている。この軸受保持部３３０は、保持部材３２３に開設されかつ軸部材２４３が挿入される保持穴部３４０と、前記保持部材に形成され保持穴部３４０に連通するとともに間隔寸法が変更されて変形されることで保持穴部３４０の形状を変更する調整スリット部３５０とを備える。
【００３１】
本実施形態では、調整スリット部３５０は、保持穴部３４０から保持部材３２０の端部にかけて形成された切込みであり、調整スリット部３５０を上側部３２１と、下側部３２２とに分割する。
【００３２】
更に、保持部材３２３には、調整スリット部３５０を変形させ、この調整スリット部３５０の間隔寸法を変更する調整部材として調整ボルト３６０を備える。調整ボルト３６０は保持部材３２０の上側部３２１に開設された挿入穴３２４から軸部３６２が挿入され、保持部材３２０の下側に設けられた雌ねじ部３２５にねじ込まれる。これより、調整ボルト３６０の頭部３６１が保持部材３２０の上側部３２１を押し、調整スリット部３５０の間隔を変更し、保持穴部３４０を変形させる。
【００３３】
また、保持穴部３４０は、軸部材２４３の中心より下側の外周面の少なくとも一部を含む面に接触する第１接触面３４１と、第１接触面３４１以外の外周面に配置され第１接触面３４１との間で軸部材２４３を挟む第２接触面３４２と、保持穴部３４０の内周面のうち少なくとも調整スリット部３５０に隣接し、かつ軸部材２４３と離間して配置される離間面３４３と、を備える。
【００３４】
この実施形態では、保持穴部３４０の内面のうち、軸部材２４３の中心Ｏより上側部分を構成する上側内周面３４０ｕの半径ｒｕは、軸部材２４３の半径ｒｃより大きく形成されている。また、保持穴部３４０のうち軸部材２４３の中心Ｏより下側部分を構成する下側内周面３４０ｄの半径ｒｕは、軸部材２４３の半径ｒｃと略同じとしている。
【００３５】
本実施形態において、反射鏡２４１の角度を調整するに際しては、調整ボルト３６０をゆるめ、軸部材２４３が保持穴部３４０内で回転させる。これにより、反射鏡２４１の角度を設定する。反射鏡２４１の角度を設定した後、調整ボルト３６０をねじ込んで軸部材２４３を保持穴部３４０に固定する。このとき、軸部材２４３は、保持穴部３４０の第１接触面３４１と第２接触面３４２で挟まれる。しかし、離間面３４３は軸部材２４３に接触しないので、軸部材２４３に無用の力が作用せず、軸部材２４３は設定された角度から変動することなく保持穴部３４０に固定される。このため、反射鏡２４１の角度調整を容易かつ正確に行うことができる。
【００３６】
＜第２実施形態＞
図５（ａ）は本発明の第２実施形態に係る光波距離計の反射鏡の取付け状態を示す正面図である。第２実施形態に係る光波距離計は、保持穴部３４０の形状が上述した第１実施形態と異なっている他は同一の構成を備える。
【００３７】
第２実施形態において、保持穴部３４０は、軸部材２４３の中心より下側の外周面の少なくとも一部を含む面に接触する第１接触面３４１と、上側内周面３４０ｕに配置され第１接触面３４１との間で軸部材２４３を挟む第２接触面３４２とを備える。また、保持穴部３４０は、上側内周面３４０ｕに形成されるとともに、調整スリット部３５０に隣接し、かつ軸部材２４３と離間して配置される離間面３４３と、下側内周面３４０ｄに形成されるとともに、調整スリット部３５０に隣接し、かつ軸部材２４３と離間して配置される離間面３４４と、を備える。
【００３８】
第２実施形態では、保持穴部３４０のうち軸部材２４３の中心Ｏより上側部分を構成する上側内周面３４０ｕの半径ｒｕは、軸部材２４３の半径ｒｃより大きく形成されている。また、保持穴部３４０のうち軸部材２４３の中心Ｏより下側部分を構成する下側内周面３４０ｄの半径ｒｕは、軸部材２４３の半径ｒｃより大きく形成されている。
【００３９】
第２実施形態において、反射鏡２４１の角度を調整するに際しては、調整ボルト３６０をゆるめ、軸部材２４３が保持穴部３４０内で回転できるようにする。この状態で、反射鏡２４１の角度を設定する。反射鏡２４１の角度を設定した後、調整ボルト３６０をねじ込んで軸部材２４３を保持穴部３４０に固定する。このとき、軸部材２４３は、保持穴部３４０の第１接触面３４１と第２接触面３４２で挟まれる。しかし、離間面３４３及び離間面３４４は軸部材２４３に接触しないので、軸部材２４３に無用の力が作用せず、軸部材２４３は設定された角度から変動することなく保持穴部３４０に固定される。このため、反射鏡２４１の角度調整を容易かつ正確に行うことができる。
【００４０】
＜第３実施形態＞
図５（ｂ）は本発明の第２実施形態に係る光波距離計の反射鏡の取付け状態を示す正面図である。また、保持穴部３４０の形状が上述した第１実施形態と異なっている他は同一の構成を備える。同一の部材には同一の符号が付されている。
【００４１】
第３実施形態において、保持穴部３４０は、軸部材２４３の中心より下側の外周面の少なくとも一部を含む面に接触する第１接触面３４１と、上側内周面３４０ｕに配置され第１接触面３４１との間で軸部材２４３を挟む第２接触面３４２と、上側内周面３４０ｕ及び下側内周面３４０ｄに形成されるとともに、調整スリット部３５０に隣接し、かつ軸部材２４３と離間して配置される離間面３４３と、を備える。
【００４２】
第３実施形態では、保持穴部３４０のうち軸部材２４３の中心Ｏより上側部分を構成する上側内周面３４０ｕの半径ｒｕは、軸部材２４３の半径ｒｃより大きく形成されている。また、保持穴部３４０のうち軸部材２４３の中心Ｏより下側部分を構成する下側内周面３４０ｄの半径ｒｕは、軸部材２４３の半径ｒｃよりやや大きく形成されている。
【００４３】
第３実施形態において、反射鏡２４１の角度を調整するに際しては、調整ボルト３６０をゆるめ、軸部材２４３が保持穴部３４０内で回転できるようにする。この状態で、反射鏡２４１の角度を設定する。反射鏡２４１の角度を設定した後、調整ボルト３６０をねじ込んで軸部材２４３を保持穴部３４０に固定する。このとき、軸部材２４３は、保持穴部３４０の第１接触面３４１と第２接触面３４２で挟まれる。しかし、離間面３４３及び離間面３４４は軸部材２４３に接触しないので、軸部材２４３に無用の力が作用せず、軸部材２４３は設定された角度から変動することなく保持穴部３４０に固定される。このため、反射鏡２４１の角度調整を容易かつ正確に行うことができる。
【００４４】
＜第４実施形態＞
図５（ｃ）は本発明の第４実施形態に係る光波距離計の反射鏡の取付け状態を示す正面図である。第４実施形態に係る光波距離計は、保持穴部３４０の形状が上述した第１実施形態と異なっている他は同一の構成を備える。
【００４５】
第４実施形態において、保持穴部３４０は、軸部材２４３の中心より下側の外周面の少なくとも一部を含む面に接触する第１接触面３４１と、上側内周面３４０ｕに配置され第１接触面３４１との間で軸部材２４３を挟む第２接触面３４２とを備える。また、本実施形態では、上側内周面３４０ｕに形成されるとともに、調整スリット部３５０に隣接し、かつ軸部材２４３と離間して配置される離間面３４３と、下側内周面３４０ｄ及びに形成されるとともに、調整スリット部３５０に隣接し、かつ軸部材２４３と離間して配置される離間面３４４と、保持穴部３４０の調整スリット部３５０と反対側に配置され、かつ軸部材２４３と離間した離間面３４５を備える。
【００４６】
第４実施形態では、保持穴部３４０のうち軸部材２４３の中心Ｏより上側部分を構成する上側内周面３４０ｕの半径ｒｕは、軸部材２４３の半径ｒｃより大きく形成されている。また、保持穴部３４０のうち軸部材２４３の中心Ｏより下側部分を構成する下側内周面３４０ｄの半径ｒｕは、軸部材２４３の半径ｒｃより大きく形成されている。
【００４７】
第４実施形態において、反射鏡２４１の角度を調整するに際しては、調整ボルト３６０をゆるめ、軸部材２４３が保持穴部３４０内で回転できるようにする。この状態で、反射鏡２４１の角度を設定する。反射鏡２４１の角度を設定した後、調整ボルト３６０をねじ込んで軸部材２４３を保持穴部３４０に固定する。このとき、軸部材２４３は、保持穴部３４０の第１接触面３４１と第２接触面３４２で挟まれる。しかし、離間面３４３、離間面３４４、離間面３４５は軸部材２４３に接触しないので、軸部材２４３に無用の力が作用せず、軸部材２４３は設定された角度から変動することなく保持穴部３４０に固定される。このため、反射鏡２４１の角度調整を容易かつ正確に行うことができる。
【００４８】
尚、上記各例にあって反射鏡は、光源からの測定光を反射するものとして説明したが、光波距離計の構成に応じ、被測定物からの反射光や、内部参照光を反射する反射鏡とすることができる。
【符号の説明】
【００４９】
１００：光波距離計
１１０：筐体
１２０：鏡筒
１３０：ベース部
１３１：濃度フィルター取付部
２００：光学系
２１０：対物レンズ系
２２０：射出光学系
２３０：光源
２４０：射出反射光学系
２４１：反射鏡
２４３：軸部材
３２０：保持部材
３２１：上側部
３２２：下側部
３２３：保持部材
３３０：軸受保持部
３４０：保持穴部
３４０ｄ：下側内周面
３４０ｕ：上側内周面
３４１：第１接触面
３４２：第２接触面
３４３：離間面
３４４：離間面
３４５：離間面
３５０：調整スリット部
３６０：調整ボルト（調整部材）
【図１】
2017067672.tif 000003
【図２】
2017067672.tif 000004
【図３】
2017067672.tif 000005
【図４】
2017067672.tif 000006
【図５】
2017067672.tif 000007
【図６】
2017067672.tif 000008
【図７】
2017067672.tif 000009